(57)【要約】【課題】  イオン発生器の放電素子をダクト吹出開口部の近傍に設けたとしても、吹出開口部から放出される放電音を低減することが可能な空調装置を提供すること。【解決手段】  放電によりイオンを発生する放電素子３２をフェイスダクト１０内の吹出口１１に対向する対向面部１５に設け、放電素子３２の放電領域Ａ内の点と吹出口１１の開口領域内の点とを結ぶいずれの線分上にも遮音部材４２および吸音部材４４を形成した。したがって、放電素子３２の放電領域Ａにおいて発生した放電音が吹出口１１に直線的に向かうことを確実に防止できる。すなわち、吹出口１１に到達する放電音をフェイスダクト１０内の反射等により確実に減衰することができる。【選択図】        図１
2006010220.tif 000002
【特許請求の範囲】
【請求項１】
吹出開口部（１１）から室内に吹き出すための空気を内部に流通するダクト（１０）と、
放電によりイオンを発生する放電素子（３２）を、前記ダクト（１０）内の前記吹出開口部（１１）に対向する対向面部（１５）に有するイオン発生手段（３０）とを備える空調装置であって、
前記放電素子（３２）の放電領域（Ａ）と前記吹出開口部（１１）の開口領域との間に遮音部材（４２）を形成したことを特徴とする空調装置。
【請求項２】
前記遮音部材（４２）は、前記放電領域（Ａ）内の点と前記開口領域内の点とを結ぶいずれの線分上にも形成されていることを特徴とする請求項１に記載の空調装置。
【請求項３】
前記遮音部材（４２）の前記放電領域（Ａ）側に吸音部材（４４）を設けたことを特徴とする請求項１または請求項２に記載の空調装置。
【請求項４】
前記遮音部材（４２）は、前記ダクト（１０）内の空気の流通方向において前記対向面部（１５）に略平行に配置されていることを特徴とする請求項１ないし請求項３のいずれか１つに記載の空調装置。
【請求項５】
前記対向面部（１５）には前記放電素子（３２）を配設するための配設開口部（１６）が設けられ、
前記放電素子（３２）は、全体が前記配設開口部（１６）の前記ダクト（１０）内方側面（１７）より前記ダクト（１０）外方側に配設されていることを特徴とする請求項１ないし請求項４のいずれか１つに記載の空調装置。
【請求項６】
前記遮音部材（４２）は、前記イオン発生手段（３０）に固定もしくは一体形成されていることを特徴とする請求項１ないし請求項５のいずれか１つに記載の空調装置。
【請求項７】
前記遮音部材（４２）は、前記ダクト（１０）に固定もしくは一体形成されていることを特徴とする請求項１ないし請求項５のいずれか１つに記載の空調装置。
【請求項８】
吹出開口部（１１）から室内に吹き出すための空気を内部に流通するダクト（１０）と、
放電によりイオンを発生する放電素子（３２）を前記ダクト（１０）内に有するイオン発生手段（３０）とを備える空調装置であって、
前記ダクト（１０）内に設けられ、前記吹出開口部（１１）から吹き出す空気の流路を、前記放電素子（３２）が設けられた第１流路（２１）と前記第１流路（２１）に並設された第２流路（２２）とに仕切る仕切部材（２３）を備え、
前記仕切部材（２３）は、前記放電素子（３２）の放電領域（Ａ）と前記吹出開口部（１１）の開口領域との間に配設されていることを特徴とする空調装置。
【請求項９】
前記仕切部材（２３）は、前記放電領域（Ａ）内の点と前記開口領域内の点とを結ぶいずれの線分上にも配設されていることを特徴とする請求項８に記載の空調装置。
【請求項１０】
前記仕切部材（２３）の前記放電領域（Ａ）側に吸音部材（２４）を設けたことを特徴とする請求項８または請求項９に記載の空調装置。
【請求項１１】
前記仕切部材（２３）は、前記第１流路（２１）の流路断面積を、前記放電素子（３２）配設部位より上流側から前記配設部位より下流側に渡って略同一とするように形成されていることを特徴とする請求項８ないし請求項１０のいずれか１つに記載の空調装置。
【請求項１２】
前記ダクト（１０）のうち前記第１流路（２１）を形成する部位には前記放電素子（３２）を配設するための配設開口部（１６）が設けられ、
前記放電素子（３２）は、全体が前記配設開口部（１６）の前記第１流路（２１）内方側面（１７Ａ）より前記第１流路（２１）外方側に配設されていることを特徴とする請求項８ないし請求項１１のいずれか１つに記載の空調装置。
【請求項１３】
前記仕切部材（２３）は、前記ダクト（１０）に固定もしくは一体形成されていることを特徴とする請求項８ないし請求項１２のいずれか１つに記載の空調装置。
【請求項１４】
前記室内は車両室内であることを特徴とする請求項１ないし請求項１３のいずれか１つに記載の空調装置。
【請求項１５】
前記ダクト（１０）内を流通する前記空気は、温度調節された空気であることを特徴とする請求項１４に記載の空調装置。
【請求項１６】
前記吹出開口部（１１）は、前記空気を前記車両室内の乗員頭部側に向けて吹き出すフェイス吹出口（１１）であることを特徴とする請求項１４または請求項１５に記載の空調装置。
【発明の詳細な説明】
【技術分野】
【０００１】
本発明は、放電により発生したイオンを空気とともに室内に供給する空調装置に関する。
【背景技術】
【０００２】
従来技術として、下記特許文献１に開示された空調装置がある。この空調装置は所謂車両用空気清浄器であって、車両室内の天井部に取り付けられた通風ダクトをなす薄型の筐体内に、電気的に作られるマイナスイオンやプラズマクラスターイオン（登録商標）を発生するイオン発生手段を備えている。そして、このイオン発生手段で発生したイオンを、イオン発生手段の直下に形成した空気吹出開口部から車両室内に向かって吹き出すようになっている。
【特許文献１】特開２００３−２９０３２６号公報
【発明の開示】
【発明が解決しようとする課題】
【０００３】
しかしながら、上記従来技術の空調装置では、イオン発生手段において、一般的に放電素子における放電によりイオンが生成される。したがって、イオン発生時には、放電素子において放電に伴ない発生した放電音が、空気吹出開口部から車両室内に放出され、乗員が不快を感じる場合があるという問題がある。
【０００４】
これに対し、放電素子と空気吹出開口部との距離を大きくして、空気吹出開口部から放出される放電音を抑制する方法も知られている。ところが、イオンは通風ダクト等に衝突すると消滅する性質を有しているため、放電素子と空気吹出開口部との距離を大きくすると、放電素子によるイオン発生量に対し、空気吹出開口部から吹き出されるイオン量が激減するという不具合を発生する。
【０００５】
本発明は、上記点に鑑みてなされたものであり、イオン発生手段の放電素子を吹出開口部の近傍に設けたとしても、吹出開口部から放出される放電音を低減することが可能な空調装置を提供することを目的とする。
【課題を解決するための手段】
【０００６】
上記目的を達成するため、請求項１に記載の発明では、吹出開口部（１１）から室内に吹き出すための空気を内部に流通するダクト（１０）と、放電によりイオンを発生する放電素子（３２）をダクト（１０）内の吹出開口部（１１）に対向する対向面部（１５）に有するイオン発生手段（３０）とを備える空調装置であって、放電素子（３２）の放電領域（Ａ）と吹出開口部（１１）の開口領域との間に遮音部材（４２）を形成したことを特徴としている。
【０００７】
これによると、放電素子（３２）の放電領域（Ａ）と吹出開口部（１１）の開口領域との間に設けられた遮音部材（４２）により、放電領域（Ａ）において発生した放電音が吹出開口部（１１）に直線的に向かうことを抑制できる。すなわち、吹出開口部（１１）に到達する放電音をダクト（１０）内の反射等により減衰することができる。したがって、放電素子（３２）を吹出開口部（１１）の近傍に設けたとしても、吹出開口部（１１）から室内に放出される放電音を低減することができる。
【０００８】
また、請求項２に記載の発明では、遮音部材（４２）は、放電素子（３２）の放電領域（Ａ）内の点と吹出開口部（１１）の開口領域内の点とを結ぶいずれの線分上にも形成されていることを特徴としている。
【０００９】
これによると、放電素子（３２）の放電領域（Ａ）において発生した放電音が吹出開口部（１１）に直線的に向かうことを遮音部材（４２）により確実に防止できる。すなわち、吹出開口部（１１）に到達する放電音をダクト（１０）内の反射等により確実に減衰することができる。したがって、放電素子（３２）を吹出開口部（１１）の近傍に設けたとしても、吹出開口部（１１）から室内に放出される放電音を確実に低減することができる。
【００１０】
また、請求項３に記載の発明では、遮音部材（４２）の放電領域（Ａ）側に吸音部材（４４）を設けたことを特徴としている。
【００１１】
これによると、放電素子（３２）の放電領域（Ａ）から遮音部材（４２）に向かった放電音を吸音部材（４４）により吸音することができる。したがって、吹出開口部（１１）に到達する放電音をさらに減衰することができる。
【００１２】
また、請求項４に記載の発明では、遮音部材（４２）は、ダクト（１０）内の空気の流通方向において対向面部（１５）に略平行に配置されていることを特徴としている。
【００１３】
これによると、遮音部材（４２）の放電素子（３２）側における空気の流れが阻害され難い。したがって、放電素子（３２）の放電領域（Ａ）において発生したイオンを安定した空気の流れに乗せて下流方向に送り易い。
【００１４】
また、請求項５に記載の発明では、対向面部（１５）には放電素子（３２）を配設するための配設開口部（１６）が設けられ、放電素子（３２）は、全体が配設開口部（１６）のダクト（１０）内方側面（１７）よりダクト（１０）外方側に配設されていることを特徴としている。
【００１５】
これによると、放電素子（３２）は、配設開口部（１６）のダクト（１０）内方側面（１７）よりダクト（１０）内方側に突出していない。したがって、放電素子（３２）により、遮音部材（４２）の放電素子（３２）側における空気の流れが乱されることがない。これにより、放電素子（３２）の放電領域（Ａ）において発生したイオンを安定した空気の流れに乗せて、より下流方向に送り易い。
【００１６】
また、請求項６に記載の発明では、遮音部材（４２）は、イオン発生手段（３０）に固定もしくは一体形成されていることを特徴としている。
【００１７】
ダクト（１０）にイオン発生手段（３０）を装着しない空調装置の場合には、ダクト（１０）内に遮音部材（４２）は不要である。本請求項の発明によると、イオン発生手段（３０）をダクト（１０）に取り付けるときに、遮音部材（４２）をダクト（１０）内に設けることができる。したがって、ダクト（１０）にイオン発生手段（３０）を装着するタイプと、ダクト（１０）にイオン発生手段（３０）を装着しないタイプとにおいて、イオン発生手段（３０）の取付部を除きダクト（１０）を共通化することができる。
【００１８】
また、請求項７に記載の発明では、遮音部材（４２）は、ダクト（１０）に固定もしくは一体形成されていることを特徴としている。
【００１９】
これによると、イオン発生手段（３０）をダクト（１０）に取り付ける前に、遮音部材（４２）はダクト（１０）内に設けられ、イオン発生手段（３０）に設ける必要がない。したがって、ダクト（１０）へのイオン発生手段（３０）取り付け前において、両者の占有容積を小さくすることが可能である。
【００２０】
また、請求項８に記載の発明では、吹出開口部（１１）から室内に吹き出すための空気を内部に流通するダクト（１０）と、放電によりイオンを発生する放電素子（３２）をダクト（１０）内に有するイオン発生手段（３０）とを備える空調装置であって、ダクト（１０）内に設けられ、吹出開口部（１１）から吹き出す空気の流路を、放電素子（３２）が設けられた第１流路（２１）と第１流路（２１）に並設された第２流路（２２）とに仕切る仕切部材（２３）を備え、この仕切部材（２３）は、放電素子（３２）の放電領域（Ａ）と吹出開口部（１１）の開口領域との間に配設されていることを特徴としている。
【００２１】
これによると、放電素子（３２）の放電領域（Ａ）と吹出開口部（１１）の開口領域との間に設けられた仕切部材（２３）により、放電領域（Ａ）において発生した放電音が吹出開口部（１１）に直線的に向かうことを抑制できる。すなわち、吹出開口部（１１）に到達する放電音をダクト（１０）内の反射等により減衰することができる。したがって、放電素子（３２）を吹出開口部（１１）の近傍に設けたとしても、吹出開口部（１１）から室内に放出される放電音を低減することができる。
【００２２】
また、請求項９に記載の発明では、仕切部材（２３）は、放電素子（３２）の放電領域（Ａ）内の点と吹出開口部（１１）の開口領域内の点とを結ぶいずれの線分上にも配設されていることを特徴としている。
【００２３】
これによると、放電素子（３２）の放電領域（Ａ）において発生した放電音が吹出開口部（１１）に直線的に向かうことを仕切部材（２３）により確実に防止できる。すなわち、吹出開口部（１１）に到達する放電音をダクト（１０）内の反射等により確実に減衰することができる。したがって、放電素子（３２）を吹出開口部（１１）の近傍に設けたとしても、吹出開口部（１１）から室内に放出される放電音を確実に低減することができる。
【００２４】
また、請求項１０に記載の発明では、仕切部材（２３）の放電領域（Ａ）側に吸音部材（２４）を設けたことを特徴としている。
【００２５】
これによると、放電素子（３２）の放電領域（Ａ）から仕切部材（２３）に向かった放電音を吸音部材（２４）により吸音することができる。したがって、吹出開口部（１１）に到達する放電音をさらに減衰することができる。
【００２６】
また、請求項１１に記載の発明では、仕切部材（２３）は、第１流路（２１）の流路断面積を、放電素子（３２）配設部位より上流側から下流側に渡って略同一とするように形成されていることを特徴としている。
【００２７】
これによると、第１流路（２１）における空気の流れが阻害され難い。したがって、放電素子（３２）の放電領域（Ａ）において発生したイオンを安定した空気の流れに乗せて下流方向に送り易い。
【００２８】
また、請求項１２に記載の発明では、ダクト（１０）のうち第１流路（２１）を形成する部位には放電素子（３２）を配設するための配設開口部（１６）が設けられ、放電素子（３２）は、全体が配設開口部（１６）の第１流路内方側面（１７）より第１流路外方側に配設されていることを特徴としている。
【００２９】
これによると、放電素子（３２）は、配設開口部（１６）の第１流路（２１）内方側面（１７Ａ）より第１流路（２１）内方側に突出していない。したがって、放電素子（３２）により、第１流路（２１）における空気の流れが乱されることがない。これにより、放電素子（３２）の放電領域（Ａ）において発生したイオンを安定した空気の流れに乗せて、より下流方向に送り易い。
【００３０】
また、請求項１３に記載の発明では、仕切部材（２３）は、ダクト（１０）に固定もしくは一体形成されていることを特徴としている。
【００３１】
これによると、イオン発生手段（３０）をダクト（１０）に取り付ける前に、仕切部材（２３）をダクト（１０）内に設けることができる。したがって、ダクト（１０）へのイオン発生手段（３０）取り付け前において、両者の占有容積を小さくすることが可能である。
【００３２】
また、請求項１４に記載の発明では、前記室内は車両室内であることを特徴としている。
【００３３】
車両室内は比較的狭い空間であるので、吹出開口部（１１）から車両室内に放出される放電音が大きいと、車両室内に搭乗している乗員は不快を感じ易い。したがって、本請求項の発明により、吹出開口部（１１）から車両室内に放出される放電音を低減することができる効果は大きい。
【００３４】
また、請求項１５に記載の発明では、ダクト（１０）内を流通する空気は、温度調節された空気であることを特徴としている。
【００３５】
これによると、吹出開口部（１１）から車両室内に温度調節されるとともにイオンを含んだ空気吹き出し、搭乗している乗員の空調フィーリングを向上するばかりでなく、吹出開口部（１１）から車両室内に放出される放電音を抑制して乗員が不快を感じることを防止できる。
【００３６】
また、請求項１６に記載の発明では、吹出開口部（１１）は、空気を車両室内の乗員頭部側に向けて吹き出すフェイス吹出口（１１）であることを特徴としている。
【００３７】
フェイス吹出口（１１）から放電音が放出されると、放電音は乗員頭部側に向かい易いので、乗員は特に不快を感じ易い。本請求項の発明によれば、フェイス吹出口（１１）から乗員頭部側に向かう放電音を抑制できるので、乗員が不快を感じることを防止できる効果は極めて大きい。
【００３８】
なお、上記各手段に付した括弧内の符号は、後述する実施形態記載の具体的手段との対応関係を示す一例である。
【発明を実施するための最良の形態】
【００３９】
以下、本発明の実施の形態を図に基づいて説明する。
【００４０】
（第１の実施形態）
図１は、本発明を適用した第１の実施形態における車両用の空調装置の要部を示す断面図であり、図２は、図１におけるＢ−Ｂ線断面図である。
【００４１】
図１は、図示しない空調ユニットと車室内計器盤の車両幅方向略中央に設けられたフェイス吹出口（センタフェイス吹出口）１１との間を繋ぐフェイスダクト（センタフェイスダクト）１０の最下流側部分を示している。
【００４２】
フェイス吹出口１１には吹き出し方向を調節するための図示しないレジスタが設けられている。そして、空調ユニット内の周知の冷却用熱交換器や加熱用熱交換器との熱交換により温度調節された空気がフェイスダクト１０内を流通した後、レジスタにより吹き出し方向を制御されてフェイス吹出口１１から車室内の乗員の頭部方向に吹き出すようになっている。
【００４３】
フェイスダクト１０のフェイス吹出口１１より上流側近傍には、空気の流れ方向に曲率の大きな内側壁１４と、内側壁１４より曲率が小さい外側壁１３とを有し、空気流路を湾曲させる湾曲部１２が形成されている。
【００４４】
湾曲部１２を構成する外側壁１３のうち、フェイス吹出口１１に対向する面をなす対向面部１５には、開口部１６が開口している。そして、この開口部１６には、樹脂製（本例ではポリプロピレン製）の繋ぎダクト部材４０を介して本実施形態におけるイオン発生手段であるイオン発生器３０が装着されている。
【００４５】
本実施形態のイオン発生器３０は、本体部３１の装着時ダクト内方側端面に平板状の放電素子３２を備えている。この放電素子３２は、図示は省略しているが、誘電体の表面に形成された放電電極と誘電体内に形成された誘導電極との間に交番電圧を印加し、図１に示す放電領域Ａにおいてプラズマクラスターイオン（登録商標）を発生するものである。なお、両電極間に電圧を印加する電圧印加回路は本体部３１内に設けられている。
【００４６】
イオン発生器３０にはブラケット３３が組みつけられており、イオン発生器３０はブラケット３３を介してフェイスダクト１０に取り付けられている。また、イオン発生器３０の放電素子３２形成側面とフェイスダクト１０の開口部１６周縁部との間には、前述の繋ぎダクト部材４０のダクト部４１が介在している。これにより、放電素子３２は、全体が開口部１６のダクト内方側面１７よりダクト外方側に配設され、フェイスダクト１０内には突出していない。
【００４７】
ここで、フェイスダクト１０が本実施形態におけるダクトであり、フェイス吹出口１１が本実施形態における吹出開口部である。また、対向面部１５に開口する開口部１６が放電素子３２を配設するための本実施形態における配設開口部である。
【００４８】
なお、イオン発生器３０の本体部３１から突出した鍔状部３１ａとブラケット３３との間にはパッキン３４が配設されている。また、繋ぎダクト部材４０のダクト部４１とブラケット３３との間にはパッキン４７が配設され、ダクト部４１とフェイスダクト１０外側壁１３との間にはパッキン４８が配設されている。
【００４９】
これらのパッキン３４、４７、４８により、イオン発生器３０装着部におけるフェイスダクト１０からの空調風漏れを防止している。
【００５０】
繋ぎダクト部材４０は、開口部１６から外壁部１３の内側に突出した遮音部材である遮音板部４２と支持板部４３とを備えている。遮音板部４２は、フェイスダクト１０内の空調空気の流通方向において対向面部１５に略平行に配置されており、支持板部４３は、遮音板部４２の図１紙面表裏方向両縁部（図２では図示上下方向両縁部）とダクト部４１とを連結して遮音板部４２を支持している。
【００５１】
図１および図２に示すように、遮音板部４２は、イオン発生装置３０の放電素子３２とも略平行に配設されており、遮音板部４２の放電素子３２側（すなわち放電領域Ａ側）面には、発泡ウレタン材からなる吸音部材４４が貼着されている。
【００５２】
図１に示すように、放電素子３２の放電領域Ａ内の点とフェイス吹出口１１の開口領域内の点とを結ぶいずれの線分上にも、遮音板部４２および吸音部材４４の少なくともいずれかが形成されている。したがって、２本の直線状二点鎖線で示して明らかなように、フェイス開口部１１から放電素子３２の放電領域Ａは直視できないようになっている。
【００５３】
なお、本実施形態のフェイスダクト１０ではフェイス吹出口１１近傍の図示上方面部の内側に段部形成に伴なう突出部１９が設けられている。したがって、放電領域Ａの図示上端と突出部１９とを結ぶ二点鎖線が、放電領域Ａの図示上端とフェイス吹出口１１図示上端とを結ぶ二点鎖線と実質的に同一であると言える。
【００５４】
図２に示すように、繋ぎダクト部材４０は、図示下方側に延びる延設部４５を有しており、この延設部４５を螺子４６によりブラケット３３に螺子止めされている。すなわち、遮音板部４２を有する繋ぎダクト部材４０は、実質的にイオン発生器３０に固定されている。したがって、イオン発生器３０がフェイスダクト１０に取り付けられるときに、遮音板部４２および吸音部材４４は、図１および図２に図示した位置に配設される。
【００５５】
次に、上記構成に基づき本実施形態の空調装置の作動について説明する。
【００５６】
本実施形態の車両用空調装置は、運転されているときには、いずれの吹き出しモードが形成されているときであっても、図示しない空調ユニットから温度調節された空気がフェイスダクト１０を介してフェイス吹出口１１に送られるようになっている。
【００５７】
空調ユニットからフェイスダクト１０内に送られた空調風は、湾曲部１２において方向を変えられフェイス吹出口１１に向かう。このとき湾曲部１２では、空調風が内側壁１４側より外側壁１３側近傍を主に流れる。そして、この空調風の主流の一部は、図１図示下方側から上方側に向かって遮音板部４２と外側壁１３対向面部１５との間を流れる。
【００５８】
このとき、空調風は、対向面部１５開口部１６のダクト内方側面１７より若干下げて設けられた（ダクト外方側に配置された）放電素子３２の表面をなめるように流れ、放電領域Ａにおける放電で発生したイオンを取り込む。
【００５９】
遮音板部４２と対向面部１５との間では、遮音板部４２が対向面部１５に略平行に配置され、放電素子３２がダクト内方側面１７よりダクト内に突出していないので、空調風の流れが乱れ難く、安定した流れのまま下流側に送られる。
【００６０】
そして、イオンを取り込んだ空調風は、曲率が比較的小さい滑らかな曲面をなす外側壁１３に沿って流れ、フェイス吹出口１１から車室内に吹き出す。この外側壁１３に沿った空調風の流れにより、イオンはフェイスダクト１０内面に衝突し難く、フェイス吹出口１１から吹き出される空調風に含まれるイオン量は、イオン発生器３０における発生量に対し然程減少することはない。
【００６１】
一方、放電素子３２の放電領域Ａで放電に伴ない発生した放電音は、遮音板部４２および吸音部材４４により、フェイス吹出口１１まで直進することはない。したがって、フェイス吹出口１１に到達する放電音は、必ずフェイスダクト１０内のいずれかの部位で反射して減衰する。また、一部の放電音は、吸音部材４４により吸音され消滅する。本実施形態では、遮音板部４２および吸音部材４４からなる構成が実質的な遮音部材であると言える。
【００６２】
上述の構成および作動によれば、放電素子３２の放電領域Ａで発生した放電音を、フェイス吹出口１１に到達する前に確実に減衰することができる。また、フェイス吹出口１１に近い放電素子３２の放電領域Ａで発生したイオンを、空調風とともに確実にフェイス吹出口１１から車室内に吹き出すことができる。
【００６３】
したがって、車室内の乗員が放電音による不快を感じ難く、良好な空調フィーリングを得ることができる。
【００６４】
遮音板部４２は、内側壁１４より外側壁１３寄りに配設されているが、湾曲部１２では、外側壁１３寄りに空調風が主に流れるため、放電素子３２の表面をなめるように流れる風量が不足することはない。
【００６５】
また、遮音板部４２が内側壁１４より外側壁１３寄りに配設され、放電素子３２の放電領域Ａに近接することで、遮音板部４２および吸音部材４４を比較的小型化しても、放電素子３２の放電領域Ａ内の点とフェイス吹出口１１の開口領域内の点とを結ぶいずれの線分上にも遮音板部４２および吸音部材４４の少なくともいずれかを配置することができる。
【００６６】
また、遮音板部４２は、イオン発生器３０側に固定され、イオン発生器３０をフェイスダクト１０に取り付けるときに、遮音板部４２がフェイスダクト１０内に配設されるようになっている。イオン発生器３０を装着しない仕様を設定する場合には、フェイスダクト１０の開口部１６を廃止するだけでよく、内部に不要な遮音板部４２が残ることもない。したがって、イオン発生器３０の装着仕様および非装着仕様においてフェイスダクト１０を共通化し易い。なお、遮音板部４２は、イオン発生器３０もしくはブラケット３３に一体形成されるものであってもよい。
【００６７】
また、遮音板部４２はフェイスダクト１０側に固定もしくは一体形成することも可能である。この場合には、フェイスダクト１０に組み付けるイオン発生器３０を含む組付体を小型化することができ、組み付け工程における占有スペースの点で有利である。
【００６８】
（第２の実施形態）
次に、第２の実施形態について図３に基づいて説明する。
【００６９】
本第２の実施形態は、前述の第１の実施形態と比較して、イオン発生器３０の取り付け箇所においてフェイスダクト１０内流路が、空気流れ方向に長く２つに仕切られている点が異なる。なお、第１の実施形態と同様の部分については、同一の符号をつけ、その説明を省略する。
【００７０】
図３に示すように、本実施形態では、フェイスダクト１０の湾曲部１２内に、空調風流れ方向に延び、空調風流路を外側壁１３側の第１流路２１と内壁部１４側の第２流路とに仕切る仕切部材２３が一体形成されている。仕切部材２３はフェイスダクト１０とは別部材として形成し、フェイスダクト１０に固定されるものであってもよい。
【００７１】
仕切部材２３は、内側壁１４より外側壁１３寄りに設けられ、上流端２３ａでフェイスダクト１０内流路を第１流路２１と第２流路２２とに分岐し、下流端２３ｂで第１流路２１と第２流路２２とを合流している。仕切部材２３により仕切られた第１流路２１および第２流路２２は、それぞれの流路断面積が上流端２３ａ部から下流端２３ｂ部に渡って略同一となっている。
【００７２】
そして、第１流路２１を形成する外側壁１３に配設開口部である開口部１６が形成され、この開口部１６に繋ぎダクト部材４０のダクト部４１を介してイオン発生器３０が装着されている。本実施形態の繋ぎダクト部材４０は、ダクト部４１と延設部４５（図２参照）とにより構成され、遮音板部４２および支持板部４３は設けられていない。
【００７３】
これにより、放電素子３２は、全体が開口部１６の第１流路内方側面１７Ａよりダクト（第１流路）外方側に配設され、第１流路２１内には突出していない。
【００７４】
また、仕切部材２３の放電素子３２（すなわち放電領域Ａ）に対向する部位から下流側部位には、発泡ウレタン材からなる吸音部材２４が貼着されている。
【００７５】
図３に示すように、放電素子３２の放電領域Ａ内の点とフェイス吹出口１１の開口領域内の点とを結ぶいずれの線分上にも、仕切部材２３が形成されている。したがって、２本の直線状二点鎖線で示して明らかなように、フェイス開口部１１から放電素子３２の放電領域Ａは直視できないようになっている。
【００７６】
なお、本実施形態のフェイスダクト１０にもフェイス吹出口１１近傍の図示上方面部の内側に段部形成に伴なう突出部１９が設けられている。したがって、放電領域Ａの図示上端と突出部１９とを結ぶ二点鎖線が、放電領域Ａの図示上端とフェイス吹出口１１図示上端とを結ぶ二点鎖線と実質的に同一であると言える。
【００７７】
本実施形態の構成によれば、放電素子３２の放電領域Ａで発生した放電音は、仕切部材２３により、フェイス吹出口１１まで直進することはない。したがって、フェイス吹出口１１に到達する前に反射等により確実に減衰することができる。また、吸音部材２４の吸音作用により一部を消滅することができる。
【００７８】
また、フェイス吹出口１１に近い第１流路２１内において放電素子３２の放電領域Ａで発生したイオンを、空調風とともに確実にフェイス吹出口１１から車室内に吹き出すことができる。
【００７９】
したがって、車室内の乗員が放電音による不快を感じ難く、良好な空調フィーリングを得ることができる。
【００８０】
仕切部材２３は、内側壁１４より外側壁１３寄りに配設され、第１流路２１の流路断面積が第２流路２２の流路断面積より小さくなっているが、湾曲部１３では、外側壁１３寄りに空調風が主に流れるため、仕切部材２３の上流端２３ａにおいて第１流路２１側に比較的多量の空調風が流れ込み、放電素子３２の表面をなめるように流れる風量が不足することはない。
【００８１】
また、仕切部材２３はフェイスダクト１０に固定もしくは一体形成されている。したがって、フェイスダクト１０に組み付けるイオン発生器３０を含む組付体を小型化することができ、組み付け工程における占有スペースを小さくすることができる。
【００８２】
なお、本実施形態の仕切部材２３は上流端２３ａで流路を分岐し、下流端２３ｂで流路を合流するものであったが、下流端２３ｂで流路を合流し、第１流路２１を流れる空気と第２流路２２を流れる空気とを、共通のフェイス吹出口１１から吹き出すものであればよい。例えば、第１流路２１を流れる空気と第２流路２２を流れる空気とが、異なるユニットから供給されるものであってもよい。
【００８３】
（他の実施形態）
上記各実施形態では、放電素子３２の放電領域Ａ内の点とフェイス吹出口１１の開口領域内の点とを結ぶいずれの線分上にも、実質的な遮音部材もしくは仕切部材を形成し、放電領域Ａで発生した放電音がフェイス吹出口１１まで直進しないようにするものであった。しかし、フェイス吹出口１１から放出される放電音が問題とならないレベルまで低減できるのであれば、放電素子３２の放電領域Ａとフェイス吹出口１１の開口領域との間の一部に遮音部材もしくは仕切部材を形成し、一部の放電音を遮音して残部の放電音を吹出口に向けて直進させるものであってもよい。
【００８４】
また、上記各実施形態では、吹出開口部は所謂センタフェイス吹出口であったが、他の吹出口であってもよい。例えば、サイドフェイス吹出口、フット吹出口、デフロスタ吹出口であってもかまわない。ただし、センタフェイス吹出口もしくはサイドフェイス吹出口、すなわち広義でのフェイス吹出口である場合には、放出された放電音は乗員頭部側に向かい易いので、乗員は特に不快を感じ易い。したがって、本発明をフェイス吹出口に適用した場合には、乗員が不快を感じることを防止できる効果は極めて大きい。
【００８５】
また、上記各実施形態では、ダクトは空調ユニットで温度調節された空調風を流通するダクトであったが、これに限定されるものではない。例えば、空気清浄機能のみを有する独立した空調装置（所謂空気清浄装置）の通風経路を形成するケース体（ダクト）であってもかまわない。また、送風手段等を備えず走行風を車室内に取り込むためのダクトであってもかまわない。
【００８６】
また、上記各実施形態では、空調装置の吹出開口部は車両室内に設けられるものであったが、これに限定されるものではない。家屋等の室内に吹出開口部を備える空調装置もしくは空調機能を有する電気機器等にも、本発明は広く適用可能である。
【図面の簡単な説明】
【００８７】
【図１】本発明を適用した第１の実施形態における車両用の空調装置の要部を示す断面図である。
【図２】図１におけるＢ−Ｂ線断面図である。
【図３】第２の実施形態における車両用の空調装置の要部を示す断面図である。
【符号の説明】
【００８８】
１０  フェイスダクト（ダクト）
１１  フェイス吹出口（吹出開口部）
１５  対向面部
１６  開口部（配設開口部）
１７  ダクト内方側面
１７Ａ  第１流路内方側面
２１  第１流路
２２  第２流路
２３  仕切部材
２４  吸音部材
３０  イオン発生器（イオン発生手段）
３２  放電素子
４２  遮音板部（遮音部材）
４４  吸音部材
Ａ  放電領域
【図１】
2006010220.tif 000003
【図２】
2006010220.tif 000004
【図３】
2006010220.tif 000005